(57)【要約】【課題】  部屋の間仕切り用引戸を収納箇所付近に近接させて、間仕切り用引戸を収納部に強制的に引き寄せるとともに、その移動の終了間際における速度が適正に減速され良好な終了動作とすることができ、且つ移動開始時における間仕切り用引戸の動作を滑らかにすること。【解決手段】  適宜の領域を摺動する摺動部材１に回動自在にフック部材２が装着され、前記摺動部材１が弾性部材３を介して付勢され，該弾性部材３の弾性力を減少させる緩衝部材４が設けられたケーシングＡと、天井３０に装着されたガイドレール１７をガイド走行体Ｂを介して移動自在とした間仕切り用引戸１８とからなること。前記緩衝部材４による抵抗力Ｔにて前記間仕切り用引戸１８が前記摺動部材１の摺動領域を収納方向に移動してなる室内における間仕切り用引戸装置。【選択図】      図１
2005171482.tif 000002
【特許請求の範囲】
【請求項１】
適宜の領域を摺動する摺動部材に回動自在にフック部材が装着され、前記摺動部材が弾性部材を介して付勢され，該弾性部材の弾性力を減少させる緩衝部材が設けられたケーシングと、天井に装着されたガイドレールをガイド走行体を介して移動自在とした間仕切り用引戸とからなり、前記緩衝部材による抵抗力にて前記間仕切り用引戸が前記摺動部材の摺動領域を収納方向に移動してなることを特徴とする室内における間仕切り用引戸装置。
【請求項２】
摺動部材と、該摺動部材に枢支連結する回動基部と被係止片と被当接片と前記回動基部の回動動作にて上方に突出する係合部とからなるフック部材と，前記摺動部材を収納方向に弾性的に付勢する弾性部材と，該弾性部材の弾性力を減少させる抵抗力を発生する緩衝部材と，前記摺動部材，フック部材，弾性部材及び緩衝部材が装着され且つ前記摺動部材が水平方向に沿って案内される主案内部と該主案内部の間仕切り用引戸の引出し側寄り箇所に被係合面部が形成されたケーシングと、天井に装着されるガイドレールと、該ガイドレールに装着されるガイド走行体と、該ガイド走行体を介して前記ガイドレールに沿って移動自在とした間仕切り用引戸と、先端に前記被係止片に係止し且つ被当接片に当接する係止部が形成された腕状部からなる案内部材とからなり、前記ケーシング内のフック部材は前記摺動部材が引出し側端部の位置のみ揺動し、前記係合部が前記被係合面部に係合自在とし、前記案内部材の係止部が前記フック部材と係止することにより、前記緩衝部材による抵抗力にて、前記間仕切り用引戸が移動してなることを特徴とする室内における間仕切り用引戸装置。
【請求項３】
請求項１又は２において、前記ケーシングは、前記ガイドレールの長手方向端部に略一直線状に設置されてなることを特徴とする室内における間仕切り用引戸装置。
【請求項４】
請求項１又は２において、前記ケーシングはガイドレールに平行状態に隣接して天井に設置されてなることを特徴とする室内における間仕切り用引戸閉装置。    
【請求項５】
請求項１又は２において、前記ケーシングは間仕切り用引戸に装着され、案内部材は、収納側壁部に装着されてなることを特徴とする室内における間仕切り用引戸装置。
【発明の詳細な説明】
【技術分野】
【０００１】
本発明は、部屋の間仕切り用引戸において、特に間仕切り用引戸を収納部付近に近接させることで、その間仕切り用引戸を収納部に強制的に引き寄せるとともに、その間仕切り用引戸の移動の終了間際における速度が適正に減速され良好な終了動作とすることができ、且つ移動開始時における間仕切り用引戸の動作を滑らかにすることができる室内における間仕切り用引戸装置に関する。
【背景技術】
【０００２】
従来より下記特許文献１等に見られるような引戸装置が存在している。そして室内を二つに仕切る間仕切り用の引戸が装着されることが多い。この引戸は、その移動動作の開始にも重厚且つ上品であることが要求される。特に、天井の高い部屋での間仕切り用引戸は大型となり、引戸自体の重量も極めて大きくなる。
【０００３】
【特許文献１】特開２００２−１３８７３９号
【発明の開示】
【発明が解決しようとする課題】
【０００４】
このような大型の間仕切り用引戸は、その重量が重いため、引戸が一旦，移動し始めるとその勢いにより、収納部に大きな衝撃を有して衝突状に当接するおそれがある。このような状態は、住宅の品質を低下させることとなり、快適な操作に相応しいとはいえないものである。また、前述したような引戸の戸閉側端部における戸閉の衝突状態を防止しようとすると、結局，引戸の戸閉動作の勢いをなるべく小さくすることになり、それゆえに引戸の戸閉状態が不完全なものになりやすい。
【０００５】
このようなことも大型の間仕切り用引戸の品質を低下させる原因となる。さらに、引戸の移動収納動作における緩衝機能を有するものでは、その装置が大型化することが多く、それゆえに戸閉装置が引戸装置の外部に露出してしまい、余分なスペースを必要とし、且つその外観も損なうことになる。本発明の目的は、特に間仕切り用引戸を収納部付近に近接させることで、その引戸を移動収納部に強制的に引き寄せ、その移動終了間際における引戸の速度が適正に減速され良好な移動動作とし、さらに戸閉装置を小型なものとし、引戸のガイドレールに直接組付け引戸装置に組み込むためのスペースを僅かなものとし、さらに引戸移動時における動作を安定させることを目的する。
【課題を解決するための手段】
【０００６】
そこで、発明者は、上記課題を解決すべく、鋭意，研究を重ねた結果、本発明を、適宜の領域を摺動する摺動部材に回動自在にフック部材が装着され、前記摺動部材が弾性部材を介して付勢され，該弾性部材の弾性力を減少させる緩衝部材が設けられたケーシングと、天井に装着されたガイドレールをガイド走行体を介して移動自在とした間仕切り用引戸とからなり、前記緩衝部材による抵抗力にて前記間仕切り用引戸が前記摺動部材の摺動領域を収納方向に移動してなる室内における間仕切り用引戸装置としたことにより、上記課題を解決したものである。
【０００７】
次に、摺動部材と、該摺動部材に枢支連結する回動基部と被係止片と被当接片と前記回動基部の回動動作にて上方に突出する係合部とからなるフック部材と，前記摺動部材を収納方向に弾性的に付勢する弾性部材と，該弾性部材の弾性力を減少させる抵抗力を発生する緩衝部材と，前記摺動部材，フック部材，弾性部材及び緩衝部材が装着され且つ前記摺動部材が水平方向に沿って案内される主案内部と該主案内部の間仕切り用引戸の引出し側寄り箇所に被係合面部が形成されたケーシングと、天井に装着されるガイドレールと、該ガイドレールに装着されるガイド走行体と、該ガイド走行体を介して前記ガイドレールに沿って移動自在とした間仕切り用引戸と、先端に前記被係止片に係止し且つ被当接片に当接する係止部が形成された腕状部からなる案内部材とからなり、前記ケーシング内のフック部材は前記摺動部材が引出し側端部の位置のみ揺動し、前記係合部が前記被係合面部に係合自在とし、前記案内部材の係止部が前記フック部材と係止することにより、前記緩衝部材による抵抗力にて、前記間仕切り用引戸が移動してなる室内における間仕切り用引戸装置としたことにより上記課題を解決したものである。
【０００８】
次に、前述の構成において前記ケーシングは、ガイドレールの長手方向端部に略一直線状に設置されてなる室内における間仕切り用引戸装置としたり、或いは前記ケーシングはガイドレールに平行状態に隣接して天井に設置されてなる室内における間仕切り用引の戸閉装置としたことにより、上記課題を解決したものである。さらに前述の構成において、前記ケーシングは間仕切り用引戸に装着され、案内部材は、収納側壁部に装着されてなる室内における間仕切り用引戸装置としたことにより上記課題を解決したものである。
【発明の効果】
【０００９】
請求項１の発明によれば、間仕切り用引戸は、収納時において収納側に近接した位置で、端部に強制的に引き寄せられ、その収納完了間際における間仕切り用引戸の速度が適正に減速され良好な収納移動動作とすることができる。さらに収納装置を小型なものとし、請求項３の発明によれば間仕切り用引戸のガイドレールに直接組付け引戸装置に組み込むためのスペースを僅かなものとすることができる。請求項４の発明によれば、極めて簡単な構成にて確実な動作ができる。請求項５の発明によれば、装置全体の構造を簡単にすることができる。
【発明を実施するための最良の形態】
【００１０】
以下、本発明の実施形態を図面に基づいて説明する。本発明の主にガイドレール側に固定する摺動部材１，フック部材２，弾性部材３、緩衝部材４、ケーシングＡ等からなる収納装置構成部と、間仕切り用引戸１８側に装着されるガイド走行体Ｂと、ガイドレール１７及びこれらが装着される室内とから構成される。まず、収納装置構成部において、前記摺動部材１は、図４（Ｂ），図７（Ａ），（Ｂ）等に示すように、略角軸状の摺動本体部１ａの長手方向に沿ってラック部１ｂが形成されている。該ラック部１ｂは、多数の歯片から形成され、後述する緩衝部材４の抵抗歯車と噛み合う箇所となる。
【００１１】
その摺動本体部１ａの長手方向一端側には、図４（Ｂ）に示すように、枢支連結部１ｃが形成されている。該枢支連結部１ｃには、連結軸片１ｃ1 が形成され、該連結軸片１ｃ1 を介して、図４（Ａ）に示すように、後述するフック部材２と枢支連結されるものである。さらに前記摺動本体部１ａの長手方向端面で前記枢支連結部１ｃの付近には被案内突起片１ｄが形成されている。該被案内突起片１ｄは、図４（Ｂ）に示すように、摺動本体部１ａの長手方向に対して略直交するようにして水平方向に突出した部位であり、且つその上面は平坦面状に形成されている。
【００１２】
そして、後述するケーシングＡの主案内部６に沿って摺動する部位となる。さらに前記被案内突起片１ｄの下部には、後述する弾性部材３の端部が固着される弾性部材連結部１ｅが形成されている。また、さらに被案内突起片１ｄ箇所から下方に向けて突出するようにして摺動部材操作片１ｆが形成されている。また前記摺動本体部１ａには、後述するケーシングＡ側に形成された摺動規制部に係合する摺動規制突起１ｇが形成される。該摺動規制突起１ｇは、その摺動部材１の長手方向において収納側寄り端部に形成され、且つ摺動部材１の長手方向に直交する方向に突出形成されたものである。
【００１３】
また、摺動部材１の引出し側端部には、上方に突出する突出部１ｈが形成され、該突出部１ｈの先端が後述するフック部材２に当接して、フック部材２の揺動範囲を規制する役目をなすものとすることもある。なおここで、収納側及び引出し側について説明すると、その収納側とは部屋の間仕切りを行わない場合に、間仕切り用引戸１８を収納箇所に収納するために移動する方向であり、図１において右側から左側に向かう方向である。また引出し側とは図１において左側から右側に向かう方向である。さらに、ケーシングＡ内においては、図１に示す、右側寄りが収納側であり、左側寄りが引出し側である。その間仕切り用引戸１８を収納する収納箇所とは、たとえば図２，図３等に示すように、室内壁面寄りの部位のことである。
【００１４】
次に、フック部材２は、回動基部２ａと、フック部２ｂと、前記回動基部２ａの揺動動作にて上方に突出する係合部２ｃとから構成される。そのフック部２ｂは、被係止片２ｂ1 と被当接片２ｂ2 とから構成され、該被係止片２ｂ1 と被当接片２ｂ2 とは略平行状態となっている。その被係止片２ｂ1 は、図８（Ａ），（Ｂ）に示すように、被当接片２ｂ2 よりもその高さ方向の寸法が低く形成されている。
【００１５】
また、被係止片２ｂ1 と被当接片２ｂ2 との間の形状は略Ｕ字形状の凹み部２ｂ3 となっており、その凹み部２ｂ3 に後述するガイド走行体Ｂの係止部１５ｂを挿入することができるようになっている。その回動基部２ａには、前記摺動部材１の枢支連結部１ｃに形成された連結軸片１ｃ1 が挿入される枢支孔２ａ1 が形成され、前記連結軸片１ｃ1 が枢支孔２ａ1 に挿入されることで、摺動部材１とフック部材２とが連結され、該フック部材２は摺動部材１に対して上下方向に回動自在となる〔図４，図７（Ａ），図８等参照〕。      
【００１６】
前記係合部２ｃは、前記回動基部２ａの枢支孔２ａ1 を中心として円弧状に形成された部位である。具体的には、その係合部２ｃは、回動基部２ａの外周側面として形成された部位である。該係合部２ｃは、後述するケーシングＡ内に形成された被係合面部７と円弧状に回動可能に近接又は接触する部分である。そして前述したように、フック部材２と摺動部材１との枢支連結部１ｃの連結軸片１ｃ1 が枢支孔２ａ1 により、揺動するときの中心を、前記係合部２ｃの円弧の中心としたものである。
【００１７】
また、フック部材２のフック部２ｂには、ガイド突起２ｄが形成されることもある。該ガイド突起２ｄは、後述するケーシングＡに形成された補助案内部１２に挿入して、フック部材２をケーシングＡの長手方向に沿って良好に移動させるとともに、そのフック部材２の回動動作も良好且つ正確に行わせようとするものである。
【００１８】
さらに、前記回動基部２ａには、図４（Ｂ），図７等に示すように、下方に向かってフック操作片２ｅが形成されている。該フック操作片２ｅは誤動作により、ケーシングＡ内に収まってしまった場合に、フック操作片２ｅを介して強制的にケーシングＡの外部に移動させる役目をなすものである。そして、そのフック操作片２ｅは、前記摺動部材操作片１ｆとともにケーシングＡの外部に突出して、ケーシングＡの外部より摺動部材１及びフック部材２の強制移動の操作ができるものである（図４参照）。さらに、前記回動基部２ａの頂部箇所で且つフック部２ｂの幅方向より直角となるように係止用突起片２ｆが形成されている。該係止用突起片２ｆは、フック部材２が摺動部材１とともに後述する主案内部６に沿って移動するときに、前記係止用突起片２ｆが主案内部６に当接して移動するものである。
【００１９】
次に、ケーシングＡは、２つに分割されたものであり、第１ケーシング部Ａ1 及び第２ケーシング部Ａ2 とから構成される。図９は、第１ケーシング部Ａ1 の内部側より見た図である。その第１ケーシング部Ａ1 の第１本体５の内部側には、主案内部６が形成されている。その主案内部６は、第１ケーシング部Ａ1 の長手方向に沿って直線状に形成された部位であり、且つその下面側が平坦状に形成されたものである。具体的には、その主案内部６は、第１本体５の表面より内方側に膨出した形状となっている。
【００２０】
また、上記主案内部６は、前記第１本体５の長手方向の引出し側の略半分の領域に形成されたものである。主案内部６は前述したように、下面側が平坦状となって形成され、前記摺動部材１の被案内突起片１ｄの上端面が当接し、また前記フック部材２の係止用突起片２ｆも主案内部６に当接する。その主案内部６の開き側方向端部箇所には、被係合面部７が形成されている。該被係合面部７は、図９，図１１等に示すように、円弧状に形成されている。具体的には、前記フック部材２が凸状の円弧状面、すなわち円弧状凸面部であり、前記被係合面部７が凹状の円弧状面すなわち円弧状凹面部である。前記係合部２ｃと被係合面部７との曲率の半径は略等しく、前記係合部２ｃは被係合面部７に沿ってスムーズに回動動作を行うことができるものである。
【００２１】
そして、そのフック部材２は、主案内部６に沿って移動し被係合面部７の箇所に到達すると係合部２ｃが被係合面部７に沿って摺動するようにして移動しフック部材２の揺動動作を行うことができるものである。そして前記フック部材２の係合部２ｃが前記被係合面部７に係合することによりフック部材２は被係合面部７箇所に弾性部材３の弾性力に抗して仮停止状態となる。この仮停止状態とは、多少の振動等では動作しないが、ガイド走行体Ｂの係止部１５ｂが当接したときに移動できる程度の停止維持が可能な状態をいう。
【００２２】
このとき、フック部材２は、被係止片２ｂ1 の上端が被当接片２ｂ2 の上端よりも低くなるように傾斜状態にある。この状態でガイド走行体Ｂの係止部１５ｂは被係止片２ｂ1 と被当接片２ｂ2 との間に出入自在なる状態となる。さらに第１ケーシング部Ａ1 内には緩衝部材４が装着される緩衝部材取付け部８が形成されており、該緩衝部材取付け部８を介して緩衝部材４がケーシングＡ内に装着される。その主案内部６の下方側に前記摺動部材１の被案内突起片１ｄが当接される。前記弾性部材３の弾性力Ｆは、緩衝部材４が発生する抵抗力Ｔよりも大きいことが条件であるが、その弾性力Ｆと抵抗力Ｔとの差は適宜に設定される。
【００２３】
次に、第２ケーシング部Ａ2 について説明する。図４（Ａ）は、第２ケーシング部Ａ2 内部を見た図で、摺動部材１，フック部材２，弾性部材３及び緩衝部材４が装着されたものである。図５（Ｂ）は、第２ケーシング部Ａ2 を外部より見た図である。なお図５（Ａ）は、第２ケーシング部Ａ2 と第１ケーシング部Ａ1 とを組み合わせた図であり、第１ケーシング部Ａ1 側より見た図である。
【００２４】
その第２本体１０に、摺動規制部１１及び補助案内部１２が形成されている。その摺動規制部１１は、直線状であり、前記摺動部材１の摺動規制突起１ｇが挿入し、摺動部材１のケーシングＡ内での移動範囲を規制するものである。すなわち、摺動部材１がケーシングＡ内を適正に移動できるようにするとともに、摺動部材１及びフック部材２がケーシングＡの外部へ脱落しないようにするための役目をなす。また、摺動部材１の適正な移動とは、ガイド走行体Ｂの係止部１５ｂにより引出し方向に引き出されたフック部材２が被係合面部７箇所で仮停止できる範囲の移動のことをいう。前記摺動規制部１１は、スリット状に形成されたものであり、前記摺動部材１の摺動規制突起１ｇがスムーズに移動できる程度の溝幅を有している。
【００２５】
次に前記補助案内部１２は、前記フック部材２のガイド突起２ｄが挿入し、フック部材２が安定した状態でケーシングＡの長手方向の移動及び揺動動作を案内する部位である。該補助案内部１２は、直線スリット状に形成された直線摺動案内部１２ａと、且つフック部材２が揺動する揺動案内部１２ｂとから構成されている。前記直線摺動案内部１２ａは、フック部材２が摺動部材１とともにケーシングＡ内を長手方向に移動するときにフック部材２の移動を支持する役目をなしている。また、揺動案内部１２ｂは、フック部材２が揺動動作を行うときに安定した状態で移動することができるようになっている。
【００２６】
この補助案内部１２は、前記第１ケーシング部Ａ1 の主案内部６及び被係合面部７による摺動部材１とフック部材２との動作をより一層確実にする役目をなしている。したがって、この補助案内部１２は、形成されないこともある。また、前記主案内部６と被係合面部７とが形成されずに、補助案内部１２のみが形成されることも可能であるが、この場合には、摺動部材１を摺動させるための別のガイド部が必要となる。
【００２７】
その第２ケーシング部Ａ2 には、後述するガイドレール１７及びの端部に装着するための装着用突出部１３が形成されている。該装着用突出部１３は、ガイドレール１７の長手方向の端部より長手方向に沿って差し込むことにより、ケーシングＡをガイドレール１７に安定した状態に維持できるものである。また、前記補助案内部１２の揺動案内部１２ｂは装着用突出部１３に形成されることで、フック部材２の一部がケーシングＡから突出した状態で、安定した揺動動作を行わせることができる。なお、第２ケーシング部Ａ2 の下部には、前記第１ケーシング部Ａ1 との接合箇所に、前記摺動部材操作片１ｆ及びフック操作片２ｅがケーシングＡ外部に突出する筋形状の切除部１０ａが形成されている。
【００２８】
次に、前記弾性部材３は、弾性部３ａの長手方向の両側に連結部３ｂ，３ｂが形成され、その一方の連結部３ｂが第２ケーシング部Ａ2 の弾性部材連結部１４に連結され、またその他端の連結部３ｂが摺動部材１の弾性部材連結部１ｅに連結される。前記弾性部３ａは、コイルスプリングである。第２ケーシング部Ａ2 内には、その弾性部３ａが伸縮自在に収納されスプリング収納部９が形成されており、図４に示すように、その弾性部３ａがほぼ横Ｕ字形状となるように折り畳み形成されて収納される。特にスプリング収納部９において弾性部材３がカーブする部分は、円弧状或いはＣ字形状に形成されている。
【００２９】
次に、緩衝部材４は、前記弾性部材３の弾性力Ｆを減少させる役目をなすものである。具体的には、図４（Ｃ）に示すように、歯車部４ａが緩衝容器４ｂに装着され、該緩衝容器４ｂにはフランジ４ｃ，４ｃが形成されている。そのフランジ４ｃ，４ｃを介して緩衝容器４ｂが第１ケーシング部Ａ1 に装着されるものである。緩衝容器４ｂには、前記歯車部４ａの回転に対して抵抗力Ｔを生じる機構となっており、たとえば、内部にグリース等の高粘度の材質があり、歯車部４ａの軸に掻き混ぜ専用の板片が装着され、歯車部４ａによって伝達された外力に対する抵抗力Ｔを生じるというものである。
【００３０】
この緩衝部材４は、図４（Ａ），図１６（Ａ）等に示すように、歯車部４ａは、前記摺動部材１のラック部１ｂと噛み合い、摺動部材１を収納側に移動させる弾性力Ｆに対する抵抗力Ｔを生じて、弾性力Ｆから抵抗力Ｔを差し引いた収納方向力Ｐにより、摺動部材１及びフック部材２を収納側に移動させるものである。すなわち、間仕切り用引戸１８を支持するガイド走行体Ｂは、Ｆ−Ｔ＝Ｐによる力にて移動するものであり、また図１６（Ｂ）に示すように、間仕切り用引戸１８の初速Ｖｎを、ガイド走行体Ｂの係止部１５ｂがフック部材２と係止した状態から戸閉が完了するまでの収納方向力Ｐによる低速な速度Ｖｍとすることができるものである。なお、緩衝部材４は、図４（Ｃ）のように歯車部４ａを介して抵抗力Ｔを発生するタイプとしたが、シリンダタイプのとしても構わない。
【００３１】
次に、案内部材１５は、ガイド走行体Ｂに装着され、移動方向に沿って延出する腕状部１５ａと，該腕状部１５ａの先端に形成された係止部１５ｂとから構成されており、該係止部１５ｂは、前記腕状部１５ａの長手方向に対して水平方向に鉤状として突出形成されている。そして、戸閉動作では前記被係合面部７に仮停止状態となっているフック部材２の被当接片２ｂ2 と当接して、フック部材２を被係合面部７から主案内部６に移動させるとともに、係止部１５ｂが被係止片２ｂ1 と被当接片２ｂ2 との間に収まり、前記フック部材２に係合される。
【００３２】
前記案内部材１５は、前記ガイド走行体Ｂに設けられた連結部位であり、具体的にはガイド走行体Ｂの主要部位である走行部１６に装着される。前記ガイド走行体Ｂは、図１２（Ｂ）に示すように、間仕切り用引戸１８をガイドレール１７に沿って移動させる役目をなすものである。そのガイドレール１７は、１本又は複数本のレール部１７ａが形成されている。これらのガイドレール１７のレール部１７ａは、下方側にガイド用開口１７ａ1 が形成され、その各レール部１７ａのガイド用開口１７ａ1 の付近にレール１７ａ2 が形成されている。
【００３３】
まず前記ガイド走行体Ｂは、ガイドレール１７に対応するものとして、ハングローラタイプで、走行部１６は、走行本体部１６ａとローラ部１６ｂ，１６ｂとから構成されている。その走行本体部１６ａには、間仕切り用引戸１８に対する上下方向に位置調整する役目をなす支持軸部１６ｃが具備され、該支持軸部１６ｃの下部には間仕切り用引戸１８との接続をするための接続具１９が装着されている。そして、ガイド走行体Ｂと間仕切り用引戸１８とは接続具１９を介して行われる。
【００３４】
次に、間仕切り用引戸１８，収納装置構成部，ガイドレール１７及びを室内に組付ける構成の具体例を以下に示す。第１タイプの組付け例として、前記間仕切り用引戸１８の上下端部箇所に対応するようにして、ガイドレール１７が室内の天井３０に装着される。そのガイドレール１７は、図２，図３及び図１２等に示すように、１つレーンとなるレール部１７ａを有するものが使用される。そして、２枚の間仕切り用引戸１８，１８が室内の間仕切りを設置したい箇所に装着することができるようになっている。そのガイドレール１７のレール部１７ａには、ガイド走行体Ｂが装着され、ガイド走行体Ｂにて間仕切り用引戸１８の上端を支持するようにして前記接続具１９等の接続装置を介して間仕切り用引戸１８に接続される。この２枚の間仕切り用引戸１８、１８は、図３に示すように、一つのレール部１７ａにおいて、突き合わせられるようにした当接状態で部屋の間仕切りが行われるものである。
【００３５】
その収納装置構成部のケーシングＡは、図２に示すように、ガイドレール１７のレール部１７ａの長手方向において、その収納側端部に略一直線状となるようにして、接続されている。すなわち、ガイドレール１７のレール部１７ａに対して同一線状に連続的に接続された構造である。これは、収納装置構成部を装着することにおいて省スペース化を実現でき、且つガイド走行体Ｂと収納装置構成部との係合動作を円滑ならしめるものである。なお、第１タイプでは、そのケーシングＡの装着は、該ケーシングＡ内の歯車部４ａが垂直面上を回動する方向となるように装着されるものである。
【００３６】
次に、第２タイプの組付け例として、図１７に示すように、収納装置構成部のケーシングＡがガイドレール１７に並設されるものである。具体的には、収納装置構成部のケーシングＡがガイドレール１７の長手方向に直交する方向に隣接して配置されている。そのケーシングＡは、前記歯車部４ａが水平面上に回動する方向となるように装着されるものである。すなわち、前述した第１タイプの組付け例の場合におけるケーシングＡの装着状態に対して直角となるように設置されるものである。また、ケーシングＡと室内の天井３０との間には、高さ調整のためのスペーサ３４が設けられ、前記ケーシングＡにおける前記案内部材１５の挿入口と、ガイド走行体Ｂの案内部材１５の位置とが一致するように設定される。
【００３７】
また、図１７（Ｂ）は、第２タイプの組付け例に対応する案内部材１５であって、腕状部１５ａが主腕片１５ａ1 と突出片１５ａ2 とから構成され、その主腕片１５ａ1 と突出片１５ａ2 とで略Ｌ字形状をなしている。その突出片１５ａ2 は、走行本体部１６ａの移動方向に対して直交する方向に該走行本体部１６ａから突出形成されている。前記主腕片１５ａ1 は、走行本体部１６ａの移動方向に沿って突出形成されたものである。その主腕片１５ａ1 の先端に係止部１５ｂが形成されている。
【００３８】
前記主腕片１５ａ1 が突出する方向は、間仕切り用引戸１８の収納方向に向かって延出形成されるものである。この案内部材１５と走行本体部１６ａとは、一体成形されたり、或いは別部材として形成されることもある。このような構造としているので、案内部材１５は、ガイドレール１７の長手方向に直交する方向に突出するものである。
【００３９】
次に、第３タイプの組付け例として、収納装置構成部のケーシングＡが間仕切り用引戸１８に装着されたものである。このタイプでは、図２０（Ａ）乃至（Ｃ）に示すように、ケーシングＡが間仕切り用引戸１８の内部に埋め込まれるようにして装着されたものである。具体的には、間仕切り用引戸１８の縦方向の側面にケーシングＡが埋め込まれる空隙部１８ａが形成され、該空隙部１８ａにケーシングＡを収納し、ビス等の固着具にて固着されるものである。そして、フック部材２側が間仕切り用引戸１８の側面開口に位置している。
【００４０】
一方、前記案内部材１５は、独立した部材として収納側壁面３１に装着される。具体的には、腕状部１５ａ，係止部１５ｂ及び、取付基部１５ｃとから構成される。そして、その取付基部１５ｃが収納側壁面３１にビス等の固着具にて固着され、その腕状部１５ａが収納側壁面３１から間仕切り用引戸１８のケーシングＡの装着位置に向かって突出状に配置されている。
【００４１】
前記間仕切り用引戸１８が収納側壁面に近接すると案内部材１５の腕状部１５ａがフック部材２に当接し、係止部１５ｂとフック部材２とが係止することにより、間仕切り用引戸１８が収納側壁面に収納状態となるように移動案内される。また、第３タイプの変形例として、ケーシングＡが間仕切り用引戸１８の外部に装着されることもある。具体的には、図２１（Ａ），（Ｂ）に示すように、前記ケーシングＡが間仕切り用引戸１８の正面又は背面のいずれかの上部に装着されるものである。すなわち、ケーシングＡ全体が間仕切り用引戸１８から露出した状態で装着されるものである。
【００４２】
次に、第１タイプにおける間仕切り用引戸装置の間仕切り用引戸１８の収納側及び引出し側のそれぞれの動作を図１３乃至図１５に基づいて説明する。なお、図１３乃至図１５は、ガイドレール１７，ガイド走行体Ｂ及び前記ガイドレール１７に装着されたケーシングＡ等の収納装置構成部による間仕切り用引戸１８の収納及び引出しのそれぞれの動作を示すものである。また、ケーシングＡ等の収納装置構成部による間仕切り用引戸１８の収納及び引出しのそれぞれの動作に関しては、ガイドレール１７，ガイド走行体Ｂ及びケーシングＡ等の収納装置構成部による間仕切り用引戸１８の収納及び引出しの動作と同等の動作をなすものである。
【００４３】
まず、間仕切り用引戸１８の収納動作を図１３，図１４に基づいて説明する。図１３（Ａ）に示すように、摺動部材１とフック部材２と枢支連結されており、その初期状態でフック部材２の係合部２ｃがケーシングＡ（第１ケーシング部Ａ1 ）の被係合面部７に係合された状態で仮停止状態にある。そして、開き状態の間仕切り用引戸１８が収納方向〔図１３（Ａ）において左側から右側方向〕に移動すると、フック部材２に次第に近接し、図１３（Ｂ）に示すように、案内部材１５の係止部１５ｂ先端がフック部材２の被当接片２ｂ2 に当接する。
【００４４】
さらに、ガイド走行体Ｂが収納方向に移動すると、係止部１５ｂが被当接片２ｂ2 を押し付けるように作用し、フック部材２の回動基部２ａが摺動部材１に対して回動しながら前記係合部２ｃがケーシングＡの被係合面部７から離脱し、フック部材２の仮停止状態が解除される。具体的には、図１０（Ｂ）及び図１１（Ｂ）において回動基部２ａが時計方向に回転しながら、係合部２ｃが被係合面部７から離脱する。このとき、ガイド走行体Ｂの係止部１５ｂは、図１３（Ｃ）及び図１４（Ａ）に示すような過程を経て、フック部材２の被当接片２ｂ2 と当接しながら被係止片２ｂ1 と被当接片２ｂ2 との間の略Ｕ字形状の凹み内に収まる。
【００４５】
そして、係止部１５ｂとフック部材２との係止動作とともに、該フック部材２の仮停止状態が解除され、略同時に該フック部材２の平坦状に形成された摺動面部２ｇが主案内部６に接触する状態に移行され、そのフック部材２の摺動面部２ｇが前記摺動部材１の被案内突起片１ｄとともに前記弾性部材３の弾性力Ｆによって収納方向に移動する。その弾性部材３による摺動部材１及びフック部材２の収納方向への移動動作時には、摺動部材１に形成されたラック部１ｂと緩衝部材４の歯車部４ａとの噛合による抵抗力Ｔが弾性部材３の弾性力Ｆによる弾性付勢方向に対して作動する。
【００４６】
これによって、弾性部材３の弾性力Ｆから緩衝部材４の抵抗力Ｔを差し引いた力，すなわちＦ−Ｔなる力が実質的な収納方向力Ｐとなる。そして、この収納方向力Ｐにより、間仕切り用引戸１８は、人の収納作業による初期収納速度Ｖｎから前記減速されて、その収納方向力Ｐにより緩やかな速度Ｖｍとなって、収納動作が行われ、収納側に強制的に移動され、収納方向端部に到達して収納動作を完了するものである〔図１４（Ｂ）参照〕。
【００４７】
この一連の収納動作は、ガイドレール１７とにそれぞれ装着された収納装置構成部により、ガイド走行体Ｂとをそれぞれの案内部材１５，１５を介して同時に間仕切り用引戸１８を収納方向に減速状態で移動させるものである。これによって、間仕切り用引戸１８は、収納装置構成部により収納側に強制的に移動するときに、間仕切り用引戸１８の上方及び下方がバランス良く減速し、ガタの無い安定した収納方向移動ができるものである。
【００４８】
次に、間仕切り用引戸１８の引出し動作を図１５に基づいて説明する。まず、フック部材２は、図１５（Ａ）に示すように、初期状態で収納側寄り〔図１５（Ａ）において右側寄り〕に位置しており、前記ガイド走行体Ｂに装着された案内部材１５はフック部材２の被係止片２ｂ1 と係止状態にある。そして、図１５（Ｂ）に示すように、前記間仕切り用引戸１８を引出し方向〔図１５（Ｂ）において右側から左側方向〕に移動させることで、ガイド走行体Ｂに装着された案内部材１５が係止状態にあるフック部材２の被係止片２ｂ1 を引っ張るようにして、主案内部６に沿って引出し側へフック部材２及び摺動部材１を強制的に移動させる。
【００４９】
さらに、間仕切り用引戸１８を引出し方向に移動させ、フック部材２が被係合面部７箇所に到達すると、摺動規制突起１ｇが摺動規制部の引出し側端部に当接して、摺動部材１の摺動動作におけるストッパの役目をなし、摺動部材１の摺動が停止される。このときには、フック部材２の係合部２ｃは被係合面部７箇所に到達している。さらに前記間仕切り用引戸１８の引出し動作が続行されることにより、ガイド走行体Ｂの係止部１５ｂによってフック部材２の被係止片２ｂ1 が引き出されるようにしてフック部材２が回動基部２ａを介して回転する。具体的には、図１０（Ｂ），図１１（Ｂ），図１５（Ｃ）に示すように、フック部材２は回動基部２ａを中心とし反時計方向に回転し、係合部２ｃが被係合面部７に移動して係合される。フック部材２は、摺動部材１と該摺動部材１に連結されている弾性部材３の弾性力により、係合部２ｃと被係合面部７とが適宜の圧力により係合当接した状態が維持され、これによって、フック部材２は被係合面部７箇所で仮停止状態となる。
【００５０】
そのフック部材２は、引出し側にて傾斜した状態となっているので、被係止片２ｂ1 の頂部箇所が低くなることにより、ガイド走行体Ｂの係止部１５ｂは、被係止片２ｂ1 から離脱し、係止部１５ｂとフック部材２との係止状態が解除され、間仕切り用引戸１８はさらに開き側に移動し、開き動作を完了する。なお、図１３乃至図１５において、主案内部６及び被係合面部７は、第１ケーシング部Ａ1 側に形成されたものであるから、その主案内部６及び被係合面部７は、想像線で記載することにする。
【００５１】
上記一連の引出し動作は、ガイドレール１７にそれぞれ装着された収納装置構成部により、ガイド走行体Ｂと案内部材１５を介して、収納装置構成部内の弾性部材３，３の弾性力に抗して間仕切り用引戸１８を移動させることができる。これによって、前記間仕切り用引戸１８の上方及び下方においてバランス良く、且つガタの無い安定した引出し方向の強制移動を行うことができる。
【００５２】
次に、第２タイプにおける、間仕切り用引戸１８の収納及び引出し動作も、前述した第１タイプと略同様であり、図１８乃至図１９に示されている。なお図１８乃至図１９は引戸装置の上方より見た平面図である。まず、収納動作については、図１８（Ａ）に示すように、摺動部材１とフック部材２とが枢支連結されており、その初期状態でフック部材２の係合部２ｃがケーシングＡの被係合面部７に係合された状態で仮停止状態にある。
【００５３】
そして、開き状態の間仕切り用引戸１８が収納方向〔図１８（Ａ）において左側から右側方向〕に移動すると、フック部材２に次第に近接し、図１８（Ｂ）に示すように、案内部材１５の係止部１５ｂ先端がフック部材２の被当接片２ｂ2 に当接する。さらに、ガイド走行体Ｂが収納方向に移動すると、前記フック部材２の仮停止状態が解除され、係止部１５ｂとフック部材２との係止動作とともに、弾性部材３の弾性力Ｆによってガイド走行体Ｂが収納方向に移動する。このとき第１タイプと同様に、弾性部材３の弾性力Ｆから緩衝部材４の抵抗力Ｔを差し引いた力，すなわちＦ−Ｔなる力が実質的な収納方向力Ｐとなって作用する。
【００５４】
次に、引出し動作は、第１タイプと構造的に同一の動作をなすものであり、ケーシングＡ内の動作は図１５と略同様であり、これを参照すると、フック部材２は、初期状態で収納側寄り〔図１５（Ａ）において右側寄り〕に位置している。前記ガイド走行体Ｂに装着された案内部材１５はフック部材２の被係止片２ｂ1 と係止状態にある。そして、前記間仕切り用引戸１８を引出し方向〔図１５（Ｂ）において右側から左側方向〕に移動させることで、ガイド走行体Ｂ（を含む）に装着された案内部材１５が係止状態にあるフック部材２の被係止片２ｂ1 を引っ張るようにして、主案内部６に沿って引出し側へフック部材２及び摺動部材１を強制的に移動させる。
【００５５】
そのフック部材２が被係合面部７箇所に到達すると、摺動規制突起１ｇが摺動規制部の引出し側端部に当接して、摺動部材１の摺動動作におけるストッパの役目をなし、摺動部材１の摺動が停止され、さらに前記間仕切り用引戸１８の引出し動作が続行されることにより、ガイド走行体Ｂの係止部１５ｂによってフック部材２の被係止片２ｂ1 が引き出されるようにしてフック部材２が回動基部２ａを介して回転する。
【００５６】
そのフック部材２は、引出し側にて傾斜した状態となっているので、被係止片２ｂ1 の頂部箇所が低くなることにより、ガイド走行体Ｂの係止部１５ｂは、被係止片２ｂ1 から離脱し、係止部１５ｂとフック部材２との係止状態が解除され、間仕切り用引戸１８はさらに引出し側に移動し、引出し動作を完了する。
【００５７】
本発明は、適宜の領域を摺動する摺動部材１に回動自在にフック部材２が装着され、前記摺動部材１が弾性部材３を介して付勢され，該弾性部材３の弾性力を減少させる緩衝部材４が設けられたケーシングＡと、天井に装着されたガイドレール１７をガイド走行体Ｂを介して移動自在とした間仕切り用引戸１８とからなり、前記緩衝部材４による抵抗力Ｔにて前記間仕切り用引戸１８が前記摺動部材１の摺動領域を収納方向に移動してなる室内における間仕切り用引戸装置としたことにより、間仕切り用引戸１８の緩やかな収納動作を得ることができ、しかも収納及び引出し方向移動における初期動作をガタの無い安定したものにできる。
【００５８】
すなわち、摺動部材１とフック部材２とは、枢支連結されてフック部材２が揺動自在としたものである。また、その摺動部材１がケーシングＡ内を収納方向に移動する力は、弾性部材３の弾性力Ｆによるが、この弾性力Ｆを減少させる緩衝部材４が具備されているので、ガイド走行体Ｂは弾性部材３の弾性力Ｆから緩衝部材４の抵抗力Ｔを差し引いた力にて収納方向に移動させることができ、極めて緩やかで安定した極めて良好なる収納動作を行うことができる。そのガイドレール１７には、収納装置構成部が装着され、ガイド走行体Ｂは案内部材１５によって、ガタの無い安定した収納，引出し動作をすることができるものである。
【００５９】
次に、摺動部材１と、該摺動部材１に枢支連結する回動基部２ａと被係止片２ｂ1 と被当接片２ｂ2 と前記回動基部２ａの回動動作にて上方に突出する係合部２ｃとからなるフック部材２と，前記摺動部材１を収納方向に弾性的に付勢する弾性部材３と，該弾性部材３の弾性力を減少させる抵抗力を発生する緩衝部材４と，前記摺動部材１，フック部材２，弾性部材３及び緩衝部材４が装着され且つ前記摺動部材１が水平方向に沿って案内される主案内部６と該主案内部６の間仕切り用引戸１８の引出し側寄り箇所に被係合面部７が形成されたケーシングＡと、天井に装着されるガイドレール１７と、該ガイドレール１７に装着されるガイド走行体Ｂと、該ガイド走行体Ｂを介して前記ガイドレール１７に沿って移動自在とした間仕切り用引戸１８と、先端に前記被係止片２ｂ1 に係止し且つ被当接片２ｂ2 に当接する係止部１５ｂが形成された腕状部１５ａからなる案内部材１５とからなり、前記ケーシングＡ内のフック部材２は前記摺動部材１が引出し側端部の位置のみ揺動し、前記係合部２ｃが前記被係合面部７に係合自在とし、前記案内部材１５の係止部１５ｂが前記フック部材２と係止することにより、前記緩衝部材４による抵抗力Ｔにて、前記間仕切り用引戸１８が移動してなる室内における間仕切り用引戸装置としたことにより、間仕切り用引戸１８の収納側端部付近に近接させることで、その間仕切り用引戸１８を収納側端部に強制的に引き寄せるとともに、その収納終了間際における間仕切り用引戸１８の速度が緩やかに減速され良好な収納動作を得ることができる。
【００６０】
さらに収納装置を小型なものとし、間仕切り用引戸１８のガイドレール１７に直接組付け引戸装置に組み込むためのスペースを僅かなものとすることができる。また、収納及び引出しの初期動作において間仕切り用引戸１８が傾いたりすることなくガタの無い安定したものにできる。
【００６１】
すなわち、被係止片２ｂ1 と被当接片２ｂ2 とが形成されたフック部材２は、摺動部材１に対して揺動自在であり、また、前記回動基部２ａの回動動作にて係合部２ｃが上方に突出するようになっている。前記フック部材２は、前記摺動部材１が引出し側端部の位置のみ揺動し、前記係合部２ｃが前記被係合面部７に係合自在である。したがって、収納動作の場合には、初期状態でフック部材２が引出し側に安定した状態で仮停止状態にできる。すなわち、フック部材２は、揺動動作を行うときに左右方向への振れが少なく、よって故障も極めて少ないものにできる。
【００６２】
さらに、ガイド走行体Ｂの係止部１５ｂがフック部材２に係止しようとするときには、滑らかに係止され、且つ弾性部材３により摺動部材１とフック部材２とが収納方向に移動するが、このとき弾性部材３に弾性力Ｆを減少させるように緩衝部材４の抵抗力Ｔが作用し、ガイド走行体Ｂを移動させる摺動部材１及びフック部材２はケーシングＡ内で適正に緩やかな速度にて移動させることができるものである。また、本発明では、ケーシングＡ内の摺動部材１及びフック部材２は、ケーシングＡの長手方向に沿って移動し、且つその移動方向は、ガイドレール１７内のガイド走行体Ｂの移動方向と同一である。よって、本発明におけるケーシングＡはガイド走行体Ｂの長手方向の端部に装着することができ、それゆえに、ガイドレール１７と略一体化され、本発明の装置の装着容易且つ装着箇所の省スペース化を実現することができる。
【００６３】
次に、前述した構成において、前記ケーシングＡは、ガイドレール１７及びの長手方向端部に略一直線状に設置されたことにより、収納装置の全体構成をコンパクトにまとめることができる。また、前述の構成において、前記ケーシングＡはガイドレール１７に平行状態に隣接して天井３０に設置されてなる室内における間仕切り用引戸閉装置としたことにより、収納装置構成部のケーシングＡを天井３０に装着するので、比較的強固な取付構造にすることができる。また、ガイド走行体Ｂは、案内部材１５を介してバランス良く、動作することができ、収納及び引出しの初期動作において、間仕切り用引戸１８が傾いたりすることなくガタの無い安定したものにできる。
【００６４】
次に、前述の構成において、前記ケーシングＡは間仕切り用引戸１８に装着され、案内部材１５は、収納側壁部３１に装着されたことにより、間仕切り用引戸１８を僅かに加工するのみでケーシングＡを装着することができ、既存の間仕切り用引戸装置への装着が比較的簡単にできるものである。
【図面の簡単な説明】
【００６５】
【図１】本発明の第１タイプの間仕切り用引戸装置の一部断面にした要部正面図である。
【図２】第１タイプの間仕切り用引戸装置の斜視図である。
【図３】第１タイプの間仕切り用引戸装置を設けた部屋の平面図である。
【図４】（Ａ）は本発明の戸閉装置の要部正面図、（Ｂ）は摺動部材とフック部材との分解斜視図、（Ｃ）は緩衝部材の斜視図である。
【図５】（Ａ）は戸閉装置の要部を第１ケーシング部側から見た側面図、（Ｂ）は戸閉装置の要部を第２ケーシング部側から見た側面図である。
【図６】（Ａ）は図５（Ａ）のＸ1 −Ｘ1 矢視断面図、（Ｂ）は図５（Ａ）のＸ2 −Ｘ2 矢視断面図である。
【図７】（Ａ）は摺動部材とフック部材との側面図、（Ｂ）は摺動部材とフック部材との斜視図である。
【図８】（Ａ）は摺動部材と傾斜した状態のフック部材との拡大側面図、（Ｂ）は摺動部材とフック部材との拡大側面図である。
【図９】第１ケーシング部の側面図である。
【図１０】（Ａ）はフック部材が主案内部に位置している状態の作用図、（Ｂ）はフック部材が被係合面部に位置している状態の作用図である。
【図１１】（Ａ）はフック部材が主案内部に位置している状態の拡大作用図、（Ｂ）はフック部材が被係合面部に位置している状態の拡大作用図である。
【図１２】（Ａ）は第１タイプの間仕切り用引戸装置の拡大縦断側面図、（Ｂ）は第１タイプにおけるガイド走行体の斜視図である。
【図１３】（Ａ）は第１タイプの引戸装置のガイド走行体の係止部がケーシングのフック部材に近接する状態の作用図、（Ｂ）はガイド走行体の係止部がケーシングのフック部材の被当接片に当接した状態の作用図、（Ｃ）はガイド走行体の係止部がケーシングのフック部材に係止した状態の作用図である。
【図１４】（Ａ）は第１タイプの引戸装置のガイド走行体の係止部がケーシングのフック部材に係止してフック部材の仮停止状態を解除した作用図、（Ｂ）は戸閉が完了した状態の作用図である。
【図１５】（Ａ）は第１タイプの引戸装置のガイド走行体の係止部がケーシング内のフック部材に係止している戸開開始の作用図、（Ｂ）は引戸を戸開方向に移動させてフック部材を戸開端部に移動させた状態の作用図、（Ｃ）はガイド走行体の係止部がケーシングのフック部材から離脱しフック部材を仮停止状態とした作用図である。
【図１６】（Ａ）は摺動部材のラック部と緩衝部材の歯車部とが噛み合った状態の拡大図、（Ｂ）は本発明における引戸の動作を示す作用略示図である。
【図１７】（Ａ）は第２タイプの間仕切り用引戸装置の一部断面にした正面図、（Ｂ）は第２タイプにおけるガイド走行体の斜視図である。
【図１８】（Ａ）は第２タイプの引戸装置におけるガイド走行体の係止部がケーシングのフック部材に近接する状態の作用図、（Ｂ）はガイド走行体の係止部がケーシングのフック部材の被当接片に当接した状態の作用図、（Ｃ）はガイド走行体の係止部がケーシングのフック部材に係止した状態の作用図である。
【図１９】（Ａ）は第２タイプの引戸装置におけるガイド走行体の係止部がケーシングのフック部材に係止してフック部材の仮停止状態を解除した作用図、（Ｂ）は戸閉が完了した状態の作用図である。
【図２０】（Ａ）は第３タイプの間仕切り用引戸装置の一部断面にした正面図、（Ｂ）は（Ａ）の横断平面図、（Ｃ）は（Ａ）の要部斜視図である。
【図２１】（Ａ）は第２タイプの間仕切り用引戸装置の変形例を示す正面図、（Ｂ）は（Ａ）の横断平面図である。
【符号の説明】
【００６６】
Ａ…ケーシング
Ｂ…ガイド走行体
１…摺動部材
１ｂ…ラック部
２…フック部材
２ａ…回動基部
２ｂ1 …被係止片
２ｂ2 …被当接片
２ｃ…係合部
３…弾性部材
４…緩衝部材
４ａ…歯車部
７…被係合面部
１５ａ…腕状部
１７…ガイドレール
【図１】
2005171482.tif 000003
【図２】
2005171482.tif 000004
【図３】
2005171482.tif 000005
【図４】
2005171482.tif 000006
【図５】
2005171482.tif 000007
【図６】
2005171482.tif 000008
【図７】
2005171482.tif 000009
【図８】
2005171482.tif 000010
【図９】
2005171482.tif 000011
【図１０】
2005171482.tif 000012
【図１１】
2005171482.tif 000013
【図１２】
2005171482.tif 000014
【図１６】
2005171482.tif 000015
【図１７】
2005171482.tif 000016
【図１８】
2005171482.tif 000017
【図１９】
2005171482.tif 000018
【図２０】
2005171482.tif 000019
【図２１】
2005171482.tif 000020
【図１３】
2005171482.tif 000021
【図１４】
2005171482.tif 000022
【図１５】
2005171482.tif 000023